(57)【要約】【課題】突発的な人の流れの変更に対応した改札モードの切り替えが可能な改札機を提供すること。【解決手段】改札通路に沿って設置される改札機は、前記改札通路の一端側で提示される情報記憶媒体に記憶された乗車情報を読み取り、この乗車情報に基づき改札可否を判定し、前記改札通路の一端から他端への通行者の通行を制御する第１の改札処理手段と、前記改札通路の他端側で提示される情報記憶媒体に記憶された乗車情報を読み取り、この乗車情報に基づき改札可否を判定し、前記改札通路の他端から一端への通行者の通行を制御する第２の改札処理手段と、前記第１及び第２の改札処理手段による改札処理状況に基づき、前記第１及び第２の改札処理手段のうちの一方による改札処理を所定時間停止するとともに、他方による改札処理を所定時間優先する改札制御手段とを備えている。【選択図】図１
2007065734.tif 000002
【特許請求の範囲】
【請求項１】
改札通路に沿って設置される改札機であって、
前記改札通路の一端側で提示される情報記憶媒体に記憶された乗車情報を読み取り、この乗車情報に基づき改札可否を判定し、前記改札通路の一端から他端への通行者の通行を制御する第１の改札処理手段と、
前記改札通路の他端側で提示される情報記憶媒体に記憶された乗車情報を読み取り、この乗車情報に基づき改札可否を判定し、前記改札通路の他端から一端への通行者の通行を制御する第２の改札処理手段と、
前記第１及び第２の改札処理手段による改札処理状況に基づき、前記第１及び第２の改札処理手段のうちの一方による改札処理を所定時間停止するとともに、他方による改札処理を所定時間優先する改札制御手段と、
を備えたことを特徴とする改札機。
【請求項２】
前記改札制御手段は、
第１の時間間隔未満での前記第１の改札処理手段による一連の改札処理の繰り返しによる連続改札処理時間が第２の時間を超えることに基づき、前記第２の改札処理手段による改札処理を所定時間停止するとともに、前記第１の改札処理手段による改札処理を所定時間優先し、
第１の時間間隔未満での前記第２の改札処理手段による一連の改札処理の繰り返しによる連続改札処理時間が第２の時間を超えることに基づき、前記第１の改札処理手段による改札処理を所定時間停止するとともに、前記第２の改札処理手段による改札処理を所定時間優先する、
ことを特徴とする請求項１に記載の改札機。
【請求項３】
前記改札制御手段は、
前記第１の改札処理手段による一連の改札処理中に、この一連の改札処理時間にわたり前記第２の改札処理手段による改札処理を停止し、
前記第２の改札処理手段による一連の改札処理中に、この一連の改札処理時間にわたり前記第１の改札処理手段による改札処理を停止し、
第１の時間間隔未満での前記第１の改札処理手段による一連の改札処理の繰り返しによる連続改札処理時間が第２の時間を超えることに基づき、一連の改札処理時間より長い所定時間にわたり前記第２の改札処理手段による改札処理を停止するとともに、一連の改札処理時間より長い所定時間にわたり前記第１の改札処理手段による改札処理を優先し、
第１の時間間隔未満での前記第２の改札処理手段による一連の改札処理の繰り返しによる連続改札処理時間が第２の時間を超えることに基づき、一連の改札処理時間より長い所定時間にわたり前記第１の改札処理手段による改札処理を停止するとともに、一連の改札処理時間より長い所定時間にわたり前記第２の改札処理手段による改札処理を優先し、
ことを特徴とする請求項１に記載の改札機。
【請求項４】
第１の時間間隔未満での前記第１の改札処理手段による一連の改札処理の繰り返しによる連続改札処理時間が第２の時間を超えるタイミングで、前記第２の改札処理手段による改札処理の停止を案内し、第１の時間間隔未満での前記第２の改札処理手段による一連の改札処理の繰り返しによる連続改札処理時間が第２の時間を超えるタイミングで、前記第１の改札処理手段による改札処理の停止を案内する案内手段を備えたことを特徴とする請求項３に記載の改札機。
【請求項５】
前記改札制御手段は、
単位時間あたりの前記第１の改札処理手段による一連の改札処理回数が所定回数を超えることによる連続改札処理の発生に基づき、前記第２の改札処理手段による改札処理を所定時間停止するとともに、前記第１の改札処理手段による改札処理を所定時間優先し、
単位時間あたりの前記第２の改札処理手段による一連の改札処理回数が所定回数を超えることによる連続改札処理の発生に基づき、前記第１の改札処理手段による改札処理を所定時間停止するとともに、前記第２の改札処理手段による改札処理を所定時間優先する、
ことを特徴とする請求項１に記載の改札機。
【請求項６】
単位時間あたりの前記第１の改札処理手段による一連の改札処理回数が所定回数を超えることによる連続改札処理の発生タイミングで、前記第２の改札処理手段による改札処理の停止を案内し、一定時間あたりの前記第２の改札処理手段による一連の改札処理回数が所定回数を超えることによることによる連続改札処理の発生タイミングで、前記第１の改札処理手段による改札処理の停止を案内する案内手段を備えたことを特徴とする請求項５に記載の改札機。
【請求項７】
複数の改札通路に沿って設置される複数の改札機及びこれら複数の改札機を制御する制御装置を備えた改札システムであって、
各改札機は、
前記改札通路の一端側で提示される情報記憶媒体に記憶された乗車情報を読み取り、この乗車情報に基づき改札可否を判定し、前記改札通路の一端から他端への通行者の通行を制御する第１の改札処理手段と、
前記改札通路の他端側で提示される情報記憶媒体に記憶された乗車情報を読み取り、この乗車情報に基づき改札可否を判定し、前記改札通路の他端から一端への通行者の通行を制御する第２の改札処理手段と、
前記第１及び第２の改札処理手段による改札処理状況に基づき、前記第１及び第２の改札処理手段のうちの一方による改札処理を停止するとともに、他方による改札処理を優先する第１の改札制御手段と、
前記制御装置に対して前記第１及び第２の改札処理手段による改札処理状況を送信し、また前記制御装置から改札制御指示を受信する通信手段と、
前記通信手段を介して受信した改札制御指示に基づき、前記第１及び第２の改札処理手段のうちの一方による改札処理を所定時間停止するとともに、他方による改札処理を所定時間優先する第２の改札制御手段と、
を備えたことを特徴とする改札システム。
【請求項８】
前記第１の改札制御手段は、
第１の時間間隔未満での前記第１の改札処理手段による一連の改札処理の繰り返しによる連続改札処理時間が第２の時間を超えることに基づき、前記第２の改札処理手段による改札処理を所定時間停止するとともに、前記第１の改札処理手段による改札処理を所定時間優先し、
第１の時間間隔未満での前記第２の改札処理手段による一連の改札処理の繰り返しによる連続改札処理時間が第２の時間を超えることに基づき、前記第１の改札処理手段による改札処理を所定時間停止するとともに、前記第２の改札処理手段による改札処理を所定時間優先する、
ことを特徴とする請求項７に記載の改札システム。
【請求項９】
改札通路の一端側で提示される情報記憶媒体に記憶された乗車情報を読み取り、この乗車情報に基づき改札可否を判定し、改札通路の一端から他端への通行者の通行を制御する第１の改札処理手段と、前記改札通路の他端側で提示される情報記憶媒体に記憶された乗車情報を読み取り、この乗車情報に基づき改札可否を判定し、前記改札通路の他端から一端への通行者の通行を制御する第２の改札処理手段とを備え、前記改札通路に沿って設置された改札機に適用される改札処理方法であって、
前記第１及び第２の改札処理手段による改札処理状況に基づき、前記第１及び第２の改札処理手段のうちの一方による改札処理を所定時間停止するとともに、他方による改札処理を所定時間優先する、
ことを特徴とする改札処理方法。
【請求項１０】
第１の時間間隔未満での前記第１の改札処理手段による一連の改札処理の繰り返しによる連続改札処理時間が第２の時間を超えることに基づき、前記第２の改札処理手段による改札処理を所定時間停止するとともに、前記第１の改札処理手段による改札処理を所定時間優先し、
第１の時間間隔未満での前記第２の改札処理手段による一連の改札処理の繰り返しによる連続改札処理時間が第２の時間を超えることに基づき、前記第１の改札処理手段による改札処理を所定時間停止するとともに、前記第２の改札処理手段による改札処理を所定時間優先する、
ことを特徴とする請求項９に記載の改札処理方法。
【発明の詳細な説明】
【技術分野】
【０００１】
本発明は、鉄道などの駅に設置される改札機に関する。また、本発明は、監視装置等を介して複数の改札機間で通信可能な改札システムに関する。さらに、本発明は、このような改札機による改札処理方法に関する。
【背景技術】
【０００２】
近年、鉄道などの交通機関の駅には、駅係員の負担を軽減するために自動改札機が設置されている。自動改札機は、投入された乗車券に記録された磁気情報を読み取り、読み取った磁気情報に基づき入出場の可否を判定し、判定結果に基づき改札通路の通行者の通行（入出場）を制御する。或いは、自動改札機は、無線式の乗車券と通信し、情報を読み取り、読み取った情報に基づき入出場の可否を判定し、判定結果に基づき改札通路の通行者の通行（入出場）を制御する。
【０００３】
上記した自動改札機には、通行者の通行の一方向（入場又は出場のどちらか一方）のみを制御することが可能な一方向専用機と、通行者の通行の両方向（入場及び出場の両方）を制御することが可能な両用機とがある。両用機の場合、駅係員が、時間帯や入出場者の数を見て、入場改札モード又は出場改札モード（一方向専用機相当）に切り替えることができる。両用機において入場改札モードが設定されると、入場側からの通行のみが制御され、出場側からは進入禁止となる（進入禁止が案内される）。逆に、両用機において出場改札モードが設定されると、出場側からの通行のみが制御され、入場側からは進入禁止となる（進入禁止が案内される）。
【０００４】
このように、両用機における改札モードの切り替えは駅係員に委ねられており、駅係員の負担は決して小さくない。また、時間帯等により、入場者が出場者を大幅に上回ったり、逆に出場者が入場者を大幅に上回ったりすることがある。このようなタイミングでも、改札の混雑を緩和するために、駅係員は両用機における改札モードを適切に切り替える必要がある。
【０００５】
このような背景において、時間帯別の入出場データを収集し、この時間帯別の入出場データに基づき改札モードを自動的に切り替える技術が提案されている（特許文献１参照）。
【特許文献１】特開平１１−１９５１５３
【発明の開示】
【発明が解決しようとする課題】
【０００６】
しかしながら、上記文献に開示された技術では、突発的な人の流れの変更（突発的に入場者又は出場者が増加）に対応できないという問題がある。例えば、電車事故等の予測できない人の流れの変更に対応した適切な改札モード制御ができない。
【０００７】
本発明の目的は、上記課題を解決するためになされたものであり、突発的な人の流れの変更に対応した改札モードの切り替えが可能な改札機、改札システム、及び改札処理方法を提供することにある。
【課題を解決するための手段】
【０００８】
この発明の改札機、改札システム、及び改札処理方法は、以下のように構成されている。
【０００９】
（１）この発明の改札機は、改札通路に沿って設置される改札機であって、前記改札通路の一端側で提示される情報記憶媒体に記憶された乗車情報を読み取り、この乗車情報に基づき改札可否を判定し、前記改札通路の一端から他端への通行者の通行を制御する第１の改札処理手段と、前記改札通路の他端側で提示される情報記憶媒体に記憶された乗車情報を読み取り、この乗車情報に基づき改札可否を判定し、前記改札通路の他端から一端への通行者の通行を制御する第２の改札処理手段と、前記第１及び第２の改札処理手段による改札処理状況に基づき、前記第１及び第２の改札処理手段のうちの一方による改札処理を所定時間停止するとともに、他方による改札処理を所定時間優先する改札制御手段とを備えている。
【００１０】
（２）この発明の改札システムは、複数の改札通路に沿って設置される複数の改札機を備えた改札システムであって、各改札機は、前記改札通路の一端側で提示される情報記憶媒体に記憶された乗車情報を読み取り、この乗車情報に基づき改札可否を判定し、前記改札通路の一端から他端への通行者の通行を制御する第１の改札処理手段と、前記改札通路の他端側で提示される情報記憶媒体に記憶された乗車情報を読み取り、この乗車情報に基づき改札可否を判定し、前記改札通路の他端から一端への通行者の通行を制御する第２の改札処理手段と、前記第１及び第２の改札処理手段による改札処理状況に基づき、前記第１及び第２の改札処理手段のうちの一方による改札処理を停止するとともに、他方による改札処理を優先する第１の改札制御手段と、他の改札機に対してこの改札機の前記第１及び第２の改札処理手段による改札処理状況を送信し、また他の改札機の前記第１及び第２の改札処理手段による改札処理状況を受信する通信手段と、前記通信手段を介して受信した他の改札機の前記第１及び第２の改札処理手段による改札処理状況に基づき、この改札機の前記第１及び第２の改札処理手段のうちの一方による改札処理を所定時間停止するとともに、他方による改札処理を所定時間優先する第２の改札制御手段とを備えている。
【００１１】
（３）この発明の改札処理方法は、改札通路の一端側で提示される情報記憶媒体に記憶された乗車情報を読み取り、この乗車情報に基づき改札可否を判定し、改札通路の一端から他端への通行者の通行を制御する第１の改札処理手段と、前記改札通路の他端側で提示される情報記憶媒体に記憶された乗車情報を読み取り、この乗車情報に基づき改札可否を判定し、前記改札通路の他端から一端への通行者の通行を制御する第２の改札処理手段とを備え、前記改札通路に沿って設置された改札機に適用される改札処理方法であって、前記第１及び第２の改札処理手段による改札処理状況に基づき、前記第１及び第２の改札処理手段のうちの一方による改札処理を所定時間停止するとともに、他方による改札処理を所定時間優先する。
【発明の効果】
【００１２】
本発明によれば、突発的な人の流れの変更に対応した改札モードの切り替えが可能な改札機、改札システム、及び改札処理方法を提供できる。
【発明を実施するための最良の形態】
【００１３】
以下、図面を参照し、本発明の実施形態について説明する。
【００１４】
図１は、本発明の一例に係る改札処理システムの概略構成を示す図である。図１に示すように、改札処理システムは、自動改札機１、２、３と監視装置（制御装置）１０とを備えている。ここでは、一例として、３台の自動改札機１、２、３により、３つの改札通路が形成されるケースについて説明する。
【００１５】
さらに、図２〜図４を参照して、自動改札機１の概略構成について説明する。なお、ここでは、自動改札機１の概略構成についてのみ説明するが、自動改札機２、自動改札機３も同様の構成である。
【００１６】
自動改札機１は、筐体１ａ及び筐体１ｂにより構成されている。筐体１ａは、受取口１０１、返却口１０２、アンテナ部１０３、上面表示部１０４、ドア１０５、１１５、側面表示部１０６を備えている。筐体１ｂは、受取口１１１、返却口１１２、アンテナ部１１３、上面表示部１１４、ドア１０５、１１５、側面表示部１１６を備えている。さらに、自動改札機１は、主制御部１２０、記憶部１２１、受取部１２２、磁気処理部１２３、回収部１２４、返却部１２５、判定部１２６、ドア開閉制御部１２７、表示制御部１２８、無線リーダライタ１２９、及び通信部１３０などを備えている。
【００１７】
主制御部１２０は、改札処理及び改札モード切替を統括制御する。記憶部１２１は、改札判定に必要な情報（運賃情報）、及び改札モード切替に必要な各種情報を記憶する。運賃情報は、例えば、各駅から自動改札機１の設置駅までの運賃を示す情報である。
【００１８】
受取口１０１、１１１は、開閉式のシャッターを備えており、磁気券（情報記憶媒体）を受け取り、この磁気券を受け取ってからこの磁気券に対して所定の処理を施す間、シャッターを閉じて次の磁気券の投入を禁止する。受取部１２２は、受取口１０１、１１１により受け取られた磁気券を整列し、磁気処理部１２３へ供給する。磁気処理部１２３は、受取部１２２から供給される磁気券に記録された乗車情報（有効区間、有効期限、入出場履歴）を読み取り、改札判定結果等に基づき必要に応じてこの磁気券に対して入出場履歴を記録する。回収部１２４は、改札判定結果等に基づき必要に応じて上記した磁気券を回収する。返却部１２５は、改札判定結果等に基づき必要に応じて上記した磁気券を返却口へ供給する。返却口１０２、１１２は、返却部１２５から供給される磁気券を排出する。
【００１９】
判定部１２６は、磁気処理部１２３により読み取った乗車情報に基づき改札可否を判定する。ドア開閉制御部１２７は、判定部１２６の改札可否判定の結果に基づき、ドア１０５、１１５の開閉を制御する。つまり、ドア開閉制御部１２７とドア１０５、１１５は、通行を制御する手段として機能する。表示制御部１２８は、判定部１２６の改札可否判定の結果等を表示部１０４、１１４に表示する。
【００２０】
アンテナ１０３、１１３は、無線式の乗車券（情報記憶媒体）、例えば無線ＩＣカードとの間で情報の送受信を行なう。無線リーダライタ１２９は、アンテナ１０３、１１３を介して無線ＩＣカードから情報を読み取ったり、アンテナ１１３を介して無線ＩＣカードへ情報を書き込んだりする。
【００２１】
ここで、上記説明した自動改札機１による入出場改札モード、入場改札モード、出場改札モード、及びこれら改札モードの切替制御について説明する。なお、ここでは、自動改札機１についてのみ説明するが、自動改札機２、自動改札機３も同様である。
【００２２】
自動改札機１の主制御部１２０により入出場改札モードが実行されると、受取口１０１のシャッターが開き、また受取口１１１のシャッターも開き、さらにアンテナ１０３からポーリング信号が出力され、またアンテナ１１３からもポーリング信号が出力され、ドア１０５、１１５が開く。さらに、図２に示すように、側面表示部１０６、１１６には、進入を許可する旨が表示される。つまり、入出場改札モードが実行されている間は、自動改札機１の間に形成された改札通路の一端から他端への通行者の通行（出場側から入場側への通行（入場））、及び改札通路の他端から一端への通行者の通行（入場側から出場側への通行（出場））のどちらか一方が可能となる。
【００２３】
この入出場改札モード実行時に、改札通路の一端側（入場側）で磁気券又は無線ＩＣカードが提示されると、つまり、磁気券が受取口１０１に投入されたり又は無線ＩＣカードがアンテナ１０３に翳されたりすると、図３に示すように、側面表示部１１６には、進入を禁止する旨が表示され、受取口１１１のシャッターが閉じ、アンテナ１１３からのポーリング信号の出力が停止する。つまり、改札通路の他端から一端への通行（出場）が禁止される。受取口１０１に投入された磁気券は、受取部１２２により搬送され、磁気処理部１２３へ供給される。この磁気券に記録された乗車情報は磁気処理部１２３により読み取られる。或いは、アンテナ１０３に翳された無線ＩＣカードの情報は、アンテナ１０３を介して無線リーダライタ１２９により読み取られる。判定部１２６は、磁気券から読み取られた乗車情報或いは無線ＩＣカードから読み取られた乗車情報に基づき、改札可否（入場可否）を判定する。改札を許可する場合、ドア１０５、１１５は開いたままとなり、例えば上面表示部１０４に改札を許可する旨が表示される。改札を許可しない場合、ドア１０５が閉じて、例えば上面表示部１０４に改札を許可しない旨が表示される。通行者が改札通路外へ出たことが検知されると、閉じたドア１０５が開く。
【００２４】
また、入出場改札モード実行時に、改札通路の他端側（出場）で磁気券又は無線ＩＣカードが提示されると、つまり、磁気券が受取口１１１に投入されたり又は無線ＩＣカードがアンテナ１１３に翳されたりすると、図３に示すように、側面表示部１０６には、進入を禁止する旨が表示され、受取口１０１のシャッターが閉じ、アンテナ１０３からのポーリング信号の出力が停止する。つまり、改札通路の一端から他端への通行（入場）が禁止される。受取口１１１に投入された磁気券は、受取部１２２により搬送され、磁気処理部１２３へ供給される。この磁気券に記録された乗車情報は磁気処理部１２３により読み取られる。或いは、アンテナ１１３に翳された無線ＩＣカードの情報は、アンテナ１１３を介して無線リーダライタ１２９により読み取られる。判定部１２６は、磁気券から読み取られた乗車情報或いは無線ＩＣカードから読み取られた乗車情報に基づき、改札可否（出場可否）を判定する。改札を許可する場合、ドア１０５、１１５は開いたままとなり、例えば上面表示部１１４に改札を許可する旨が表示される。改札を許可しない場合、ドア１１５が閉じて、例えば上面表示部１１４に改札を許可しない旨が表示される。通行者が改札通路外へ出たことが検知されると、閉じたドア１１５が開く。
【００２５】
自動改札機１の主制御部１２０により入場改札モードが実行されると、受取口１０１のシャッターが開き、受取口１１１のシャッターは閉じ、さらにアンテナ１０３からポーリング信号が出力され、アンテナ１１３からはポーリング信号が出力されない。また、ドア１０５は開き、ドア１１５は閉じる。さらに、図２に示すように、側面表示部１０６には進入を許可する旨が表示され、図３に示すように、側面表示部１１６には進入を禁止する旨が表示される。つまり、入場改札モードが実行されている間は、自動改札機１の間に形成された改札通路の一端から他端への通行者の通行（出場側から入場側への通行（入場））は受け入れられるものの、改札通路の他端から一端への通行者の通行（入場側から出場側への通行（出場））は禁止される。
【００２６】
この入場改札モード実行時に、改札通路の一端側（入場側）で磁気券又は無線ＩＣカードが提示されると、つまり、磁気券が受取口１０１に投入されたり又は無線ＩＣカードがアンテナ１０３に翳されたりすると、改札通路の他端から一端への通行（出場）は禁止されたまま、受取口１０１に投入された磁気券が、受取部１２２により搬送され、磁気処理部１２３へ供給される。この磁気券に記録された乗車情報は磁気処理部１２３により読み取られる。或いは、アンテナ１０３に翳された無線ＩＣカードの情報は、アンテナ１０３を介して無線リーダライタ１２９により読み取られる。判定部１２６は、磁気券から読み取られた乗車情報或いは無線ＩＣカードから読み取られた乗車情報に基づき、改札可否（入場可否）を判定する。改札を許可する場合、ドア１１５が開き、例えば上面表示部１０４に改札を許可する旨が表示される。改札を許可しない場合、ドア１１５は閉じたままで、例えば上面表示部１０４に改札を許可しない旨が表示される。
【００２７】
自動改札機１の主制御部１２０により出場改札モードが実行されると、受取口１１１のシャッターが開き、受取口１０１のシャッターは閉じ、さらにアンテナ１１３からポーリング信号が出力され、アンテナ１０３からはポーリング信号が出力されない。また、ドア１１５は開き、ドア１０５は閉じる。さらに、図２に示すように、側面表示部１１６には進入を許可する旨が表示され、図３に示すように、側面表示部１０６には進入を禁止する旨が表示される。つまり、出場改札モードが実行されている間は、自動改札機１の間に形成された改札通路の他端から一端への通行者の通行（入場側から出場側への通行（出場））は受け入れられるものの、改札通路の一端から他端への通行者の通行（出場側から入場側への通行（入場））は禁止される。
【００２８】
この出場改札モード実行時に、改札通路の他端側（出場側）で磁気券又は無線ＩＣカードが提示されると、つまり、磁気券が受取口１１１に投入されたり又は無線ＩＣカードがアンテナ１１３に翳されたりすると、改札通路の一端から他端への通行（入場）は禁止されたまま、受取口１１１に投入された磁気券が、受取部１２２により搬送され、磁気処理部１２３へ供給される。この磁気券に記録された乗車情報は磁気処理部１２３により読み取られる。或いは、アンテナ１１３に翳された無線ＩＣカードの情報は、アンテナ１１３を介して無線リーダライタ１２９により読み取られる。判定部１２６は、磁気券から読み取られた乗車情報或いは無線ＩＣカードから読み取られた乗車情報に基づき、改札可否（入場可否）を判定する。改札を許可する場合、ドア１０５が開き、例えば上面表示部１１４に改札を許可する旨が表示される。改札を許可しない場合、ドア１０５は閉じたままで、例えば上面表示部１１４に改札を許可しない旨が表示される。
【００２９】
次に、改札モードの切替制御について説明する。改札モードの切替判断基準となる連続改札処理について説明する。連続改札処理の判定手法は、例えば図５及び図６に示すように二通りある。
【００３０】
図５に示すように、第１の時間間隔未満（例えば２秒間隔未満）での一連の改札処理（一人の通行者に対する改札処理）の繰り返しによるトータル処理時間が第２の時間（例えば１０秒）を超えると、主制御部１２０は連続改札処理が実行されていると判定する。
【００３１】
また、図６に示すように、単位時間（例えば１分）あたりの一連の改札処理（一人の通行者に対する改札処理）回数が所定回数（例えば１５回）を超えると、主制御部１２０は連続改札処理が実行されていると判定する。
【００３２】
主制御部１２０が、入出場改札モード実行時の入場改札処理（受取口１０１から受け取った磁気券に基づく改札処理又はアンテナ１０３を介して通信した無線ＩＣカードに基づく改札処理）中に上記した連続改札処理を検出すると、一連の改札処理時間より長い所定時間（例えば５分）にわたり出場改札処理を停止するとともに（受取口１１１のシャッターを所定時間にわたり閉じて、アンテナ１１３からのポーリング信号の出力を所定時間にわたり停止し）、この所定時間にわたり入場改札処理を優先させる。さらに、連続改札処理の検出タイミングで、側面表示部１１６に進入禁止を表示し、出場改札処理の停止を案内する。つまり、主制御部１２０は、入出場改札モード実行時の入場改札処理中に上記した連続改札処理を検出すると、入出場改札モードを入場改札モードに切り替える。
【００３３】
また、主制御部１２０が、入出場改札モード実行時の出場改札処理（受取口１１１から受け取った磁気券に基づく改札処理又はアンテナ１１３を介して通信した無線ＩＣカードに基づく改札処理）中に上記した連続改札処理を検出すると、一連の改札処理時間より長い所定時間（例えば５分）にわたり入場改札処理を停止するとともに（受取口１０１のシャッターを所定時間にわたり閉じて、アンテナ１０３からのポーリング信号の出力を所定時間にわたり停止し）、この所定時間にわたり出場改札処理を優先させる。さらに、連続改札処理の検出タイミングで、側面表示部１０６に進入禁止を表示し、入場改札処理の停止を案内する。つまり、主制御部１２０は、入出場改札モード実行時の出場改札処理中に上記した連続改札処理を検出すると、入出場改札モードを出場改札モードに切り替える。
【００３４】
ここで、図７を参照して、改札モードの切替制御について説明する。上記したように、連続改札処理が検出されると（ＳＴ１、ＹＥＳ）、入出場改札モードが一方向の改札モード（出場改札モード又は入場改札モード）に切り替えられ（ＳＴ２）、モード復帰タイマがセットされる（ＳＴ３）。予め設定された設定時間（上記した所定時間）が経過すると（ＳＴ４、ＹＥＳ）、モード復帰タイマがリセットされ（ＳＴ６）、一方向の改札モードが再び入出場改札モードへ切り替えられる（ＳＴ７）。
【００３５】
上記したように、自動改札機１（主制御部１２０）は、入出場改札モード実行時に、出場者が一時的に増加すると実質的に出場改札モードに切り替え、逆に入場者が一時的に増加すると実質的に入場改札モードに切り替える。つまり、人の流れの増減に応じて、一時的に一方向の通行のみの改札処理を行なう（反対側からの進入は禁止する）。これにより、突発的な人の流れの変更に対応した改札モードの切り替えが可能となる。
【００３６】
次に、複数台の自動改札機の連動した改札モード切替制御について説明する。各自動改札機は、通信部１３０を介して、監視装置１０に対して自身の改札処理状況（入出場改札処理モード実行時に入場改札の連続改札処理が発生しているか否か／入出場改札処理モード実行時に出場改札の連続改札処理が発生しているか否か）を送信する。管理装置１０は、各自動改札機からの改札処理状況に基づき、各自動改札機に対して改札モードの切り替えを指示する。例えば、監視装置１０は、自動改札機１から入出場改札処理モード実行時に入場改札の連続改札処理が発生していることを示す情報を受信すると、自動改札機２に対して入場改札モードの実行（入場改札モードへの切り替え）を指示し、自動改札機２にも入場改札処理を支援させる。このように、各自動改札機を連携させて、改札モードを切り替えることにより、より効率の良い改札処理が可能となる。
【００３７】
以上説明したように、本発明によれば、入場改札専用機を配置した入場改札コーナー、出場改札専用機を配置した出場改札コーナー等を区別して設置する必要がなく、大勢の旅客の通行を効率良く制御することが可能となる。また、ある自動改札機において通行が禁止された前の旅客がいても、隣の自動改札機が利用できる可能性が高く（入場者が急激に増えているときは多数の自動改札機で入場改札モードが実行されるため）、自動改札機による渋滞を防止することができる。また、ホームに近い位置に設置された自動改札機には旅客が集中し易いが、入場者／出場者の増減に対応した効率の良い改札処理が可能となる。
【００３８】
なお、上記以外にも、磁気券や無線ＩＣカードから読み取った情報に基づき列車の到着ホームを特定し、この到着ホームの近くに設置された自動改札機の改札モードを制御するようにしてもよい（入出場改札モードを出場改札モードに切り替えたり入場改札モードに切り替えたりする）。例えば、出場に利用された特急券などから読み取った情報に基づき列車の到着ホームを特定し、出場改札が増加することを予測し、この到着ホームに近い自動改札機を出場改札モードに切り替える。
【００３９】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４０】
【図１】本発明の一例に係る改札処理システムの概略構成を示す図である。
【図２】進入を許可する旨を表示した側面表示部の表示例を示す図である。
【図３】進入を禁止する旨を表示した側面表示部の表示例を示す図である。
【図４】自動改札機の概略構成を示す図である。
【図５】連続改札処理の判定の第一例を説明するための図である。
【図６】連続改札処理の判定の第二例を説明するための図である。
【図７】改札モードの切替制御の一例を説明するためのフローチャートである。
【符号の説明】
【００４１】
１、２、３…自動改札機、１ａ、１ｂ…筐体、１０…監視装置、１０１、１１１…受取口、１０２、１１２…返却口、１０３、１１３…アンテナ部、１０４、１１４…上面表示部、１０５、１１５…ドア、１０６、１１６…側面表示部、１２０…主制御部、１２１…記憶部、１２２…受取部、１２３…磁気処理部、１２４…回収部、１２５…返却部、１２６…判定部、１２７…ドア開閉制御部、１２８…表示制御部、１２９…無線リーダライタ、１３０…通信部
【図１】
2007065734.tif 000003
【図２】
2007065734.tif 000004
【図３】
2007065734.tif 000005
【図４】
2007065734.tif 000006
【図５】
2007065734.tif 000007
【図６】
2007065734.tif 000008
【図７】
2007065734.tif 000009